(57)【要約】  装置（１）と方法とコンピュータ・プログラムであって、この装置（１）は、処理回路（５）と、コンピュータ・プログラム・コード（１１）を含む記憶回路（７）とを備え、および、この記憶回路（７）とコンピュータ・プログラム・コード（１１）は、処理回路（７）を用いて、その装置（１）に、少なくとも、太陽光発電の車両（３１）から少なくともその太陽光発電の車両（３１）の現在位置を含む情報を得ることで、所定の領域内のソーラーパワーの分布の情報（２５）を得ることと、得られた情報をソーラーパワー充電ストラテジ（２７）を決定するために使用することと、このソーラーパワー充電ストラテジ（２７）に太陽光発電の車両（３１）がアクセスすることを可能にすることとを、実行させるように構成されている。【選択図】図３
2017511676.tif 000002
【特許請求の範囲】
【請求項１】
処理回路と、
コンピュータ・プログラム・コードを含む記憶回路と、
を備える装置であって、
前記記憶回路と前記コンピュータ・プログラム・コードは、前記処理回路を用いて、前記装置に、少なくとも、
少なくとも前記太陽光発電の車両の現在位置を含む情報を太陽光発電の車両から得ることと、
所定の領域内のソーラーパワーの分布の情報を得ることと、
ソーラーパワー充電ストラテジを決定するために、得られた前記情報を使用することと、
前記太陽光発電の車両が前記ソーラーパワー充電ストラテジにアクセスすることを可能にすることと、
を実行させるように構成されている、装置。
【請求項２】
前記太陽光発電の車両から得られる前記情報は、前記太陽光発電の車両に関する電力要件に関連する情報を含む、請求項１に記載の装置。
【請求項３】
電力要件に関連する前記情報は、現在の蓄積電力レベルを表している情報を含む、請求項２に記載の装置。
【請求項４】
電力要件に関連する前記情報は、予想電力使用量に関する情報を含む、請求項２から３のいずれかに記載の装置。
【請求項５】
情報が複数の太陽光発電の車両から得られる、請求項１から４のいずれかに記載の装置。
【請求項６】
前記ソーラーパワー分布に関する前記情報は、時刻、天候状態、建物の高さ、日陰の位置、周囲光レベルのうちの少なくとも１つを含む、請求項１から５のいずれかに記載の装置。
【請求項７】
前記所定の領域は、前記太陽光発電の車両の現在位置を含む、請求項１から６のいずれかに記載の装置。
【請求項８】
前記所定の領域は、前記太陽光発電の車両の現在位置を含まない、請求項１から６のいずれかに記載の装置。
【請求項９】
前記充電ストラテジは、太陽光発電の車両を自律的に移動させることを含む、請求項１から８のいずれかに記載の装置。
【請求項１０】
前記充電ストラテジは、太陽光発電の車両がいつ充電場所に移動しなければならないかに関するスケジュールを含む、請求項９に記載の装置。
【請求項１１】
前記充電ストラテジは、太陽光発電の車両がいつ充電場所から離れなければならないかに関するスケジュールを含む、請求項９又は１０のいずれかに記載の装置。
【請求項１２】
前記充電ストラテジは複数の車両に関して決定される、請求項１から１１のいずれかに記載の装置。
【請求項１３】
前記装置はｍ複数の車両が前記充電ストラテジにアクセスすることを可能にする請求項１から１２のいずれかに記載の装置。
【請求項１４】
前記記憶回路と前記コンピュータ・プログラム・コードは、前記処理回路を用いて、前記装置に、さらに別の情報を得ることと、前記装置が前記さらに別の情報を組み入れるために前記充電ストラテジを変更することとを実行させるように構成されている、請求項１から１３のいずれかに記載の装置。
【請求項１５】
太陽光発電の車両と通信するようにそのサーバが構成されている、請求項１から１４のいずれかに記載の装置を備えるサーバ。
【請求項１６】
太陽光発電の車両から、少なくとも前記太陽光発電の車両の現在位置を含む情報を得ることと、
所定の領域内のソーラーパワーの分布の情報を得ることと、
ソーラーパワー充電ストラテジを決定するために、得られた前記情報を使用することと、
前記太陽光発電の車両が前記ソーラーパワー充電ストラテジにアクセスすることを可能にすることと、
を含む方法。
【請求項１７】
前記太陽光発電の車両から得られた前記情報は、前記太陽光発電の車両に関する電力要件に関連する情報を含む、請求項１６に記載の方法。
【請求項１８】
前記電力要件に関連する情報は、現在の蓄積電力レベルを表す情報を含む、請求項１７に記載の方法。
【請求項１９】
前記電力要件に関連する情報は、予想電力使用量に関する情報を含む、請求項１７から１８のいずれかに記載の方法。
【請求項２０】
複数の太陽光発電の車両から情報を得ることをさらに含む請求項１６から１９のいずれかに記載の方法。
【請求項２１】
ソーラーパワーの分布に関する前記情報は、時刻、天候状態、建物の高さ、日陰の位置、周囲光レベルのうちの少なくとも１つを含む、請求項１６から２０のいずれかに記載の方法。
【請求項２２】
前記所定の領域は、前記太陽光発電の車両の前記現在位置を含む、請求項１６から２１のいずれかに記載の方法。
【請求項２３】
前記所定の領域は、前記太陽光発電の車両の前記現在位置を含まない、請求項１６から２１のいずれかに記載の方法。
【請求項２４】
前記充電ストラテジは、太陽光発電の車両を自律的に移動させることを含む、請求項１６から２３のいずれかに記載の方法。
【請求項２５】
前記充電ストラテジは、太陽光発電の車両がいつ充電場所に移動しなければならないかに関するスケジュールを含む、請求項２４に記載の方法。
【請求項２６】
前記充電ストラテジは、太陽光発電の車両がいつ充電場所を離れなければならないかに関するスケジュールを含む、請求項２４から２５のいずれかに記載の方法。
【請求項２７】
前記充電ストラテジは、複数の車両に関して決定される、請求項１６から２６のいずれかに記載の方法。
【請求項２８】
複数の車両が前記充電ストラテジにアクセスすることを可能にすることを含む請求項１６から２７のいずれかに記載の方法。
【請求項２９】
さらに別の情報を得ることと、前記さらに別の情報を組み入れるために前記充電ストラテジを変更することと、をさらに含む請求項１６から２８のいずれかに記載の方法。
【請求項３０】
コンピュータ・プログラム命令を含むコンピュータ・プログラムであって、前記コンピュータ・プログラム命令は、処理回路によって実行される時に、
太陽光発電の車両から情報を得ることであって、前記情報は少なくとも前記太陽光発電の車両の現在位置を含むことと、
所定の領域内のソーラーパワーの分布の情報を得ることと、
ソーラーパワー充電ストラテジを決定するために、得られた前記情報を使用することと、
前記太陽光発電の車両が前記ソーラーパワー充電ストラテジにアクセスすることを可能にすること、
を可能にするコンピュータ・プログラム。
【請求項３１】
請求項１６から２９のいずれかに記載の方法をコンピュータが実行させるためのプログラム命令を含むコンピュータ・プログラム。
【請求項３２】
請求項３０から３１のいずれかに記載の前記コンピュータ・プログラムを具体化する物理的エンティティ。
【請求項３３】
請求項３０から３１のいずれかに記載の前記コンピュータ・プログラムを搬送する電磁搬送信号。
【請求項３４】
処理回路と、
コンピュータ・プログラム・コードを含む記憶回路
とを備える装置であって、
前記記憶回路と前記コンピュータ・プログラム・コードは、前記処理回路を用いて、前記装置に、少なくとも、
太陽光発電の車両の現在位置を含む情報を提供することと、
ソーラーパワー充電ストラテジを得ることであって、現在位置を含む前記情報と所定の領域内のソーラーパワーの分布の情報とを使用してソーラーパワー充電ストラテジが決定されることと、
前記太陽光発電の車両の位置を制御するために前記ソーラーパワー充電ストラテジを使用すること
とを、実行させるように構成されている
装置。
【請求項３５】
前記提供される情報は、前記太陽光発電の車両に関する電力要件に関連する情報を含む、請求項３４に記載の装置。
【請求項３６】
前記電力要件に関連する情報は、現在の蓄積電力レベルを表している情報を含む、請求項３５に記載の装置。
【請求項３７】
前記電力要件に関連する情報は、予想電力使用量に関する情報を含む、請求項３５から３６のいずれかに記載の装置。
【請求項３８】
前記情報は、遠隔サーバに提供される、請求項３４から３７のいずれかに記載の装置。
【請求項３９】
前記ソーラーパワー充電ストラテジは、遠隔サーバから得られる、請求項３４から３８のいずれかに記載の装置。
【請求項４０】
請求項３４から３９のいずれかに記載の装置を備える太陽光発電の車両。
【請求項４１】
太陽光発電の車両の現在位置を含む情報を提供することと、
現在位置を含む前記情報と、所定の領域内のソーラーパワーの分布の情報とを使用して決定されるソーラーパワー充電ストラテジを得ることと、
太陽光発電の車両の位置を制御するために前記ソーラーパワー充電ストラテジを使用することと、
を含む方法。
【請求項４２】
前記提供される前記情報は、前記太陽光発電の車両に関する電力要件に関連する情報を含む、請求項４１に記載の方法。
【請求項４３】
電力要件に関する前記情報は、現在の蓄積電力レベルを表している情報を含む、請求項４２に記載の方法。
【請求項４４】
電力要件に関する前記情報は、予想電力使用量に関する情報を含む、請求項４２から４３のいずれかに記載の方法。
【請求項４５】
前記情報は遠隔サーバに提供される、請求項４１から４４のいずれかに記載の方法。
【請求項４６】
前記ソーラーパワー充電ストラテジは遠隔サーバから得られる、請求項４１から４５のいずれかに記載の方法。
【請求項４７】
コンピュータ・プログラム命令を含むコンピュータ・プログラムであって、前記コンピュータ・プログラム命令は、処理回路によって実行される時に、
太陽光発電の車両の現在位置を含む情報を提供することと、
ソーラーパワー充電ストラテジを得ることであって、前記ソーラーパワー充電ストラテジは、現在位置を含む前記情報と、所定の領域内のソーラーパワーの分布の情報とを使用して決定されることと、
前記太陽光発電の車両の位置を制御するために前記ソーラーパワー充電ストラテジを使用することと、
を可能にするコンピュータ・プログラム。
【請求項４８】
請求項４１から４６のいずれかに記載の方法をコンピュータが実行させるためのプログラム命令を含むコンピュータ・プログラム。
【請求項４９】
請求項４１から４８のいずれかに記載の前記コンピュータ・プログラムを具体化する物理的エンティティ。
【請求項５０】
請求項４１から４８のいずれかに記載の前記コンピュータ・プログラムを搬送する電磁搬送信号。
【発明の詳細な説明】
【技術分野】
【０００１】
本開示の実施例は、車両の充電を可能にするための装置、方法、および、コンピュータ・プログラムに関する。特に、これらの実施例は、太陽光発電の車両の充電を可能にするための装置、方法、および、コンピュータ・プログラムに関する。
【背景技術】
【０００２】
自動車のような電気車両が知られている。太陽光発電電気車両は、入射太陽光を電力に変換するように構成することができる太陽電池セルを備えることができる。
【発明の概要】
【発明が解決しようとする課題】
【０００３】
太陽光発電電気車両は、十分な量のソーラーパワー（ｓｏｌａｒ  ｐｏｗｅｒ）が太陽電池セル上に入射している場所にその車両を置くことによって充電することができる。こうした車両が十分な量の電力を得ることが可能であることを確実なものにすることが有用である。
【課題を解決するための手段】
【０００４】
必ずしもすべてではないが、本開示の種々の例では、処理回路と、コンピュータ・プログラム・コードを含む記憶回路とを備える装置が提供され、この記憶回路とコンピュータ・プログラム・コードは、処理回路を用いて、その装置に、少なくとも、その装置が、少なくともその太陽光発電の車両の現在位置を含む情報を太陽光発電の車両から得ることと、所定の領域内のソーラーパワーの分布の情報を得ることと、得られた情報をソーラーパワー充電ストラテジ（ｓｏｌａｒ  ｐｏｗｅｒ  ｃｈａｒｇｉｎｇ  ｓｔｒａｔｅｇｙ）を決定するために使用することと、このソーラーパワー充電ストラテジに太陽光発電の車両がアクセスすること、を可能にすることと、を実行させるように構成されている。
【０００５】
いくつかの例では、太陽光発電の車両から得られる情報は、その太陽光発電の車両に関する電力要件（ｐｏｗｅｒ  ｒｅｑｕｉｒｅｍｅｎｔ）に関連する情報を含むことができる。
【０００６】
いくつかの例では、この電力要件に関する情報は、現在の蓄積電力レベル（ｃｕｒｒｅｎｔ  ｓｔｏｒｅｄ  ｐｏｗｅｒ  ｌｅｖｅｌ）を表す情報を含むことができる。
【０００７】
いくつかの例では、電力要件に関する情報は、予想電力使用量（ｅｘｐｅｃｔｅｄ  ｐｏｗｅｒ  ｕｓａｇｅ）に関する情報を含むことができる。
【０００８】
いくつかの例では、情報を複数の太陽光発電の車両から得ることができる。
【０００９】
いくつかの例では、ソーラーパワーの分布の情報は、時刻、天候状態、建物の高さ、日陰の位置、周囲光レベルのうちの少なくとも１つを含むことができる。
【００１０】
いくつかの例では、所定の領域は、太陽光発電の車両の現在位置を含むことができる。
【００１１】
いくつかの例では、所定の領域は、太陽光発電の車両の現在位置を含まなくてもよい。
【００１２】
いくつかの例では、充電ストラテジは、太陽光発電の車両を自律的に移動させることを含むことができる。この充電ストラテジは、太陽光発電の車両がいつ充電場所に移動しなければならないかに関するスケジュールを含むことができる。この充電ストラテジは、太陽光発電の車両がいつ充電場所を離れなければならないかに関するスケジュールを含むことができる。
【００１３】
いくつかの例では、この充電ストラテジを、複数の車両に対して決定することができる。
【００１４】
いくつかの例では、この装置は、複数の車両が充電ストラテジにアクセスすることを可能にすることができる。
【００１５】
いくつかの例では、記憶回路とコンピュータ・プログラム・コードは、処理回路を用いて、さらに別の情報を得ることと、この別の情報を組み入れるために充電ストラテジを変更することとをその装置に実行させるように構成することができる。
【００１６】
必ずしもすべてではないが、本開示の種々の例では、上述した装置を備えるサーバを提供することができる、このサーバは、太陽光発電の車両と通信するように構成されている。
【００１７】
必ずしもすべてではないが、本開示の種々の例では、少なくともその太陽光発電の車両の現在位置を含む情報を太陽光発電の車両から得ることと、所定の領域内のソーラーパワーの分布の情報を得ることと、得られた情報を、ソーラーパワー充電ストラテジを決定するために使用することと、このソーラーパワー充電ストラテジに太陽光発電の車両がアクセスすることを可能にすることとを含む方法が提供される。
【００１８】
いくつかの例では、太陽光発電の車両から得られる情報は、その太陽光発電の車両に関する電力要件に関連する情報を含むことができる。
【００１９】
いくつかの例では、この電力要件に関連する情報は、現在の蓄積電力レベルを表す情報を含むことができる。
【００２０】
いくつかの例では、電力要件に関連する情報は、予想電力使用量に関する情報を含むことができる。
【００２１】
いくつかの例では、この方法は、さらに、複数の太陽光発電の車両から情報を得ることを含むことができる。
【００２２】
いくつかの例では、ソーラーパワーの分布の情報は、時刻、天候状態、建物の高さ、日陰の位置、周囲光レベルのうちの少なくとも１つを含むことができる。
【００２３】
いくつかの例では、所定の領域は、太陽光発電の車両の現在位置を含むことができる。
【００２４】
いくつかの例では、所定の領域は、太陽光発電の車両の現在位置を含んでなくてもよい。
【００２５】
いくつかの例では、充電ストラテジは、太陽光発電の車両を自律的に移動させることを含むことができる。この充電ストラテジは、太陽光発電の車両がいつ充電場所に移動しなければならないかに関するスケジュールを含むことができる。この充電ストラテジは、太陽光発電の車両がいつ充電場所を離れなければならないかに関するスケジュールを含むことができる。
【００２６】
いくつかの例では、この充電ストラテジを、複数の車両に対して決定することができる。
【００２７】
いくつかの例では、この方法は、複数の車両が充電ストラテジにアクセスすることを可能にすることを含むことができる。
【００２８】
いくつかの例では、この方法は、さらに別の情報を得ることと、さらに別の情報を組み入れるために充電ストラテジを変更することとを含むことができる。
【００２９】
必ずしもすべてではないが、本開示の種々の例では、コンピュータ・プログラム命令を含むコンピュータ・プログラムを提供することができる、このコンピュータ・プログラム命令は、処理回路によって実行される時に、太陽光発電の車両からその現在位置を含む情報を得ることと、所定の領域内のソーラーパワーの分布の情報を得ることと、ソーラーパワー充電ストラテジを決定するために、得られた情報を使用することと、太陽光発電の車両がソーラーパワー充電ストラテジにアクセスすることを可能にすることとを可能にする。
【００３０】
必ずしもすべてではないが、本開示の種々の例では、コンピュータが上記方法を実行させるためのプログラム命令を含むコンピュータ・プログラムを提供することができる。
【００３１】
必ずしもすべてではないが、本開示の種々の例では、上述したコンピュータ・プログラムを具体化する物理的エンティティを提供することができる。
【００３２】
必ずしもすべてではないが、本開示の種々の例では、上述したコンピュータ・プログラムを搬送する電磁搬送信号を提供することができる。
【００３３】
必ずしもすべてではないが、本開示の種々の例では、処理回路と、コンピュータ・プログラム・コードを含む記憶回路とを備える装置が提供され、この記憶回路とコンピュータ・プログラム・コードは、処理回路を用いて、その装置に、少なくとも、太陽光発電の車両の現在位置を含む情報を提供することと、ソーラーパワー充電ストラテジを得ることであって、このソーラーパワー充電ストラテジは、現在位置を含む情報と所定の領域内のソーラーパワーの分布の情報とを使用して決定されることと、太陽光発電の車両の位置を制御するためにソーラーパワー充電ストラテジを使用することとを、実行させるように構成されている。
【００３４】
いくつかの例では、提供される情報は、太陽光発電の車両における電力要件に関する情報を含むことができる。
【００３５】
いくつかの例では、電力要件に関する情報は、現在の蓄積電力レベルを表す情報を含むことができる。
【００３６】
いくつかの例では、電力要件に関する情報は、予想電力使用量に関する情報を含むことができる。
【００３７】
いくつかの例では、情報は遠隔サーバに提供することができる。
【００３８】
いくつかの例では、ソーラーパワー充電ストラテジを、遠隔サーバから得ることができる。
【００３９】
必ずしもすべてではないが、本開示の種々の例では、上述した装置を備える太陽光発電の車両を提供することができる。
【００４０】
必ずしもすべてではないが、本開示の種々の例では、太陽光発電の車両の現在位置を含む情報を提供することと、ソーラーパワー充電ストラテジを得ることであって、このソーラーパワー充電ストラテジは、現在位置を含む情報と所定の領域内のソーラーパワーの分布の情報とを使用して決定されることと、太陽光発電の車両の位置を制御するためにソーラーパワー充電ストラテジを使用することとを含む、方法を提供することができる。
【００４１】
いくつかの例では、提供される情報は、太陽光発電の車両に関する電力要件に関連する情報を含むことができる。
【００４２】
いくつかの例では、電力要件に関連する情報は、現在の蓄積電力レベルを表す情報を含むことができる。
【００４３】
いくつかの例では、電力要件に関連する情報は、予想電力使用量に関する情報を含むことができる。
【００４４】
いくつかの例では、情報は遠隔サーバに提供することができる。
【００４５】
いくつかの例では、ソーラーパワー充電ストラテジは、遠隔サーバから得ることができる。
【００４６】
必ずしもすべてではないが、本開示の種々の例では、処理回路によって実行される時に、太陽光発電の車両の現在位置を含む情報を提供することと、ソーラーパワー充電ストラテジを得ることであって、このソーラーパワー充電ストラテジは、現在位置を含む情報と、所定の領域内のソーラーパワーの分布の情報とを使用して決定されることと、太陽光発電の車両の位置を制御するためにソーラーパワー充電ストラテジを使用することとを可能にする、コンピュータ・プログラム命令を含むコンピュータ・プログラムを提供することができる。
【００４７】
必ずしもすべてではないが、本開示の種々の例では、上述した方法をコンピュータに実行させるためのプログラム命令を含むコンピュータ・プログラムを提供することができる。
【００４８】
必ずしもすべてではないが、本開示の種々の例では、上述したコンピュータ・プログラムを具体化する物理的エンティティを提供することができる。
【００４９】
必ずしもすべてではないが、本開示の種々の例では、上述したコンピュータ・プログラムを搬送する電磁搬送信号を提供することができる。
【００５０】
必ずしもすべてではないが、本開示の種々の例では、添付されている特許請求項に記載されている例を提供することができる。
【００５１】
以下においては、詳細な説明を理解するために有用である様々な例のより適切な理解のために、単なる例示としての添付図面が参照される。
【図面の簡単な説明】
【００５２】
【図１】装置を図示する。
【図２】装置を備えるサーバを図示する。
【図３】装置を備える車両を図示する。
【図４】装置を備えるシステムを図示する。
【図５】方法を図示する。
【図６】方法を図示する。
【図７】方法を図示する。
【発明を実施するための形態】
【００５３】
これらの図は装置１を図示し、この装置１は、処理回路５と、コンピュータ・プログラム・コード１１を含む記憶回路７とを備え、および、この記憶回路７とコンピュータ・プログラム・コード１１は、処理回路５を用いて、装置１に、少なくとも、太陽光発電の車両３１から情報を得ることであって、この情報は太陽光発電の車両３１の現在位置を少なくとも含むことと、所定の領域内のソーラーパワーの分布の情報２５を得ることと、得られた情報２５を、ソーラーパワー充電ストラテジ２７を決定するために使用することと、太陽光発電の車両３１がソーラーパワー充電ストラテジ２７に対してアクセスすることを可能にすることと、を実行させるように構成されている。
【００５４】
これらの図は、さらに、処理回路５と、コンピュータ・プログラム・コード１１を含む記憶回路７とを備える装置１を示し、この記憶回路７とコンピュータ・プログラム・コード１１は、処理回路５を用いて、装置１に、少なくとも、太陽光発電の車両３１の現在位置を含む情報を提供することと、ソーラーパワー充電ストラテジ２７を得ることであって、このソーラーパワー充電ストラテジ２７は、現在位置を含む情報と、所定の領域内のソーラーパワーの分布の情報２５とを使用して決定されることと、太陽光発電の車両３１の位置を制御するためにこのソーラーパワー充電ストラテジ２７を使用することと、を実行させるように構成されている。
【００５５】
本開示の例は、太陽光発電の車両３１が効率的に充電されることを可能にするための装置と方法とコンピュータ・プログラムとを提供する。いくつかの例では、本開示は、各々の太陽光発電の車両３１が十分な電力を得ることを確実なものにするために、複数の太陽光発電の車両３１の位置の中央制御を可能にすることができる。
【００５６】
図１は、本開示の実現のために使用することができる例示的な装置１を示す。図１に示されている装置１は、チップ又はチップセットであることができる。この装置１は、太陽光発電の車両と通信するように構成することができるサーバのような装置内に備えることができる。いくつかの例では、装置１は、サーバおよび／又は他の車両と通信するように構成することができる太陽光発電の車両の中に備えることができる。
【００５７】
この例示的な装置１は、制御回路３を備える。制御回路３は、１つ以上の太陽光発電の車両３１のためのソーラーパワー充電ストラテジ２７を決定するための手段を提供することができる。この制御回路３は１つ以上のコントローラを備えることができる。制御回路３は、例えば、コンピュータ可読記憶媒体（ディスク、メモリ、記憶回路７等）上に記憶することができる汎用又は特殊用途の処理回路５内の実行可能なコンピュータ命令を使用することによって、ハードウェア機能性がこのような処理回路５によって実行されることを可能にする命令を使用して実現することができる。
【００５８】
処理回路５を、記憶回路７に対して読み書きを行うように構成することができる。処理回路５は１つ以上のプロセッサを備えることができる。処理回路５は、さらに、データおよび／又はコマンドがそれを介して処理回路５によって出力される出力インタフェースと、データおよび／又はコマンドがそれを介して処理回路５に入力される入力インタフェースとを備えることができる。
【００５９】
記憶回路７は、処理回路５内にロードされる時に装置１の動作を制御するコンピュータ・プログラム命令（コンピュータ・プログラム・コード１１）を含む、コンピュータ・プログラム９を記憶するように構成することができる。コンピュータ・プログラム９のコンピュータ・プログラム命令は、図５から図７に示されている例示的な方法を装置１が行うことを可能にするロジックとルーチンを提供する。処理回路５は、記憶回路７からの読み出しによって、コンピュータ・プログラム９をロードして実行することが可能である。
【００６０】
したがって、装置１は、処理回路５と、コンピュータ・プログラム・コードを含む記憶回路７とを備え、および、この記憶回路７とコンピュータ・プログラム・コード１１は、処理回路５を用いて、装置１に、少なくとも、太陽光発電の車両３１からその現在位置を少なくとも含む情報を得ることと、所定の領域内のソーラーパワーの分布の情報２５を得ることと、得られた情報２５をソーラーパワー充電ストラテジ２７を決定するために使用することと、太陽光発電の車両３１がソーラーパワー充電ストラテジ２７に対してアクセスすることを可能にすることと、を実行させるように構成されている。
【００６１】
代替案の装置１が、処理回路５と、コンピュータ・プログラム・コードを含む記憶回路７とを備え、および、この記憶回路７とコンピュータ・プログラム・コード１１は、処理回路５を用いて、装置１に、少なくとも、太陽光発電の車両３１の現在位置を含む情報を提供することと、ソーラーパワー充電ストラテジ２７を得ることであって、このソーラーパワー充電ストラテジ２７は、現在位置を含む情報と、所定の領域内のソーラーパワーの分布の情報２５とを使用して決定されることと、太陽光発電の車両３１の位置を制御するためにソーラーパワー充電ストラテジ２７を使用することと、を実行させるように構成されている。
【００６２】
コンピュータ・プログラム９は、適切な配送機構を経由して装置１に到着することができる。この配送機構は、例えば、非過渡的コンピュータ可読記憶媒体、コンピュータ・プログラム製品、メモリデバイス、コンパクトディスク読み出し専用記憶装置（ＣＤ−ＲＯＭ）又はデジタル多目的ディスク（ＤＶＤ）のような記憶媒体、又は、コンピュータ・プログラムを明確に具現化する製造物品であることができる。この配送機構は、コンピュータ・プログラム９を確実に伝送するように構成されている信号であることができる。この装置は、コンピュータ・プログラム９をコンピュータデータ信号として伝送又は送信することができる。
【００６３】
これらの図において、記憶回路７が単一の構成要素として示されているが、この記憶回路７は、その一部又は全部が一体型であるか又は着脱可能であってもよく、および／又は、恒久的／半恒久的／動的／キャッシュ記憶装置を提供することができる、１つ以上の別個の構成要素として実現することができるということを理解されたい。
【００６４】
処理回路５が図において単一の構成要素として示されているが、この処理回路５が、その一部又は全部が一体型であるか又は着脱可能であることができる１つ以上の別個の構成要素として実現することができるということを理解されたい。
【００６５】
「コンピュータ可読記憶媒体」、「コンピュータ・プログラム製品」、「明確に実現されたコンピュータ・プログラム」等、又は、「コントローラ」、「コンピュータ」、「プロセッサ」等に対する言及が、シングル／マルチプロセッサアーキテクチャとシーケンシャル（フォンノイマン型）／パラレルアーキテクチャのような様々なアーキテクチャを有するコンピュータだけでなく、フィールドプログラマブルゲートアレイ（ＦＰＧＡ）、特定用途向け集積回路（ＡＳＩＣ）、信号処理装置、および、他の処理回路のような特殊化された回路も含むということが理解されなければならない。コンピュータ・プログラム、命令、コード等に対する言及が、プログラム可能プロセッサのためのソフトウェア、又は、プロセッサのための命令、又は、固定機能装置、ゲートアレイ、又は、プログラム可能論理装置等のための構成設定値であるかに係わらずに、ハードウェア装置の例えばプログラム可能コンテンツのようなファームウェアを含むということが理解されなければならない。
【００６６】
本出願で使用される場合に、術語「回路（ｃｉｒｃｕｉｔｒｙ）」は、
ａ）（アナログおよび／又はデジタル回路だけにおける実現（ｉｍｐｌｅｍｅｎｔａｔｉｏｎ）のような）ハードウェアだけの回路の実現と、
ｂ）（ｉ）１つ以上のプロセッサの組合せに対して、又は、（ｉｉ）１つ以上のプロセッサ／ソフトウェア（１つ以上のデジタル信号プロセッサを含む）、ソフトウェア、および、移動電話又はサーバのような装置に、様々な機能を果たすことをさせるために協働する１つ以上の記憶装置の一部分に対して、のような（該当する場合には）、回路とソフトウェア（および／又は、ファームウェア）の組合せ、および、
ｃ）ソフトウェア又はファームウェアが物理的に存在していない場合にさえ、動作のためのソフトウェア又はファームウェアを必要とする、１つ以上のマイクロプロセッサ、又は、１つ以上のマイクロプロセッサの一部分のような回路
のすべてを意味する。
【００６７】
術語「回路」のこの定義は、あらゆる特許請求項の中のこの術語を含む、本出願中のこの術語のすべての使用に当てはまる。本出願中で使用されているさらに別の例では、術語「回路」は、さらに、単なるプロセッサ（又は、マルチプルプロセッサ）、又は、プロセッサの一部分又はそのプロセッサ（又は、それらのプロセッサ）の付随的なソフトウェアおよび／又はファームウェアを範囲内に含む。術語「回路」は、さらに、例えば、および、特定の請求項要素に適用可能である場合に、移動電話のベースバンド集積回路、又は、移動電話のためのアプリケーションプロセッサ集積回路（ａｐｐｌｉｃａｔｉｏｎｓ  ｐｒｏｃｅｓｓｏｒ  ｉｎｔｅｇｒａｔｅｄ  ｃｉｒｃｕｉｔ）、又は、サーバ内、セルラーネットワーク装置内、又は、他のネットワーク内の同様の集積回路をその範囲内に含む。
【００６８】
図２は、サーバ２１を概略的に示す。このサーバ２１は装置１とトランシーバ２３とを備えることができる。後述の説明に必要な特徴要素だけが図２に示されているということを理解されたい。
【００６９】
図２のサーバ内に含まれている装置１は、図１に示されており、上述されている装置と同じであることができる。対応する特徴要素に関しては、対応する照合番号が使用されている。
【００７０】
上述したように、装置１は制御回路３を備える。この制御回路３は、記憶回路７と処理回路５とを備える。記憶回路７は、コンピュータ・プログラム・コード１１を含むコンピュータ・プログラム９を記憶するように構成することができる。記憶回路７は、さらに、ソーラーパワー分布の情報２５を記憶するように構成することができる。例えば、記憶回路７は、複数の町および市の３次元モデルを表す情報を記憶するように構成することができる。この場合に、３次元モデルは、特定の時節および／又は日に関する日陰の位置を計算するために使用することができる。
【００７１】
記憶回路７は、さらに、ソーラーパワー充電ストラテジ２７に関する情報を記憶するように構成することができる。ソーラーパワー充電ストラテジ２７は、太陽光発電の車両が十分なソーラーパワーを得ることを可能にするために、１つ以上の太陽光発電の車両によって使用することができる情報を含むことができる。ソーラーパワー充電ストラテジ２７は、サーバ２１の処理回路５によって決定することができる。処理回路５は、ソーラーパワー充電ストラテジ２７を決定するために、ソーラーパワー分布の情報２５を使用することができる。
【００７２】
トランシーバ２３は、１つ以上のトランスミッタおよび／又はレシーバを備えることができる。トランシーバ２３は、サーバ２１が遠隔の装置との通信コネクションを確立することと遠隔の装置と情報を交換することとを可能にする任意の手段を備えることができる。この遠隔の装置は、車両内に、および／又は、別のサーバの中に配置することができる。通信コネクションは、無線コネクションを含むことができる。
【００７３】
いくつかの例では、トランシーバ２３は、セルラーネットワークのようなネットワークにサーバ２１が接続することを可能にすることができる。いくつかの例では、トランシーバ２３は、無線ローカルエリアネットワーク、ブルートゥースネットワーク、又は、任意の他の適切なネットワークのようなローカルエリアネットワーク内で装置１が通信することを可能にすることができる。
【００７４】
トランシーバ２３は、得られた情報をトランシーバ２３を経由して制御回路３に対して提供するように構成することができる。トランシーバ２３は、さらに、ソーラーパワー充電ストラテジ２７のような制御回路３からの情報がトランシーバ２３を経由して送信されることを可能にするように構成することができる。
【００７５】
図３は、太陽光発電の車両３１を概略的に示す。この太陽光発電の車両３１は、乗用車、箱型貨物自動車、又は、任意の他の適切なタイプの車両でることができる。
【００７６】
太陽光発電の車両３１は、装置１と、１つ以上の太陽電池セル３３と、貯蔵手段３７と、１つ以上のセンサ３５と、トランシーバ２３とを備えることができる。下記の説明のために必要な特徴要素だけが図３に示されているということを理解されたい。
【００７７】
図３の装置１は図１に示されており、上述されている装置と同じであることができる。対応する照合番号が、対応する特徴要素に関して使用されている。
【００７８】
上述したように、装置１は制御回路３を備える。この制御回路３は、記憶回路７と処理回路５とを備える。記憶回路７は、コンピュータ・プログラム・コード１１を含むコンピュータ・プログラム９を記憶するように構成することができる。
【００７９】
制御回路３は、車両３１の自律的制御を可能にするように構成することができる。車両３１の自律的制御は、ユーザからの直接的な制御入力なしに車両３１が移動させられることを可能にすることができる。
【００８０】
トランシーバ２３は、１つ以上のトランスミッタおよび／又はレシーバを備えることができる。トランシーバ２３は、太陽光発電の車両３１が遠隔の装置との通信コネクションを確立することと遠隔の装置と情報を交換することとを可能にする任意の手段を備えることができる。この遠隔の装置は、別の車両内に、および／又は、サーバ内に配置することができる。通信コネクションは、無線コネクションを含むことができる。
【００８１】
いくつかの例では、トランシーバ２３は、太陽光発電の車両３１がセルラーネットワークのようなネットワークに接続することを可能にすることができる。いくつかの例では、トランシーバ２３は、無線ローカルエリアネットワーク、ブルートゥースネットワーク、又は、任意の他の適切なネットワークのようなローカルエリアネットワーク内で太陽光発電の車両３１が通信することを可能にすることができる。
【００８２】
トランシーバ２３は、得られた情報をこのトランシーバ２３を経由して制御回路３に対して提供するように構成することができる。トランシーバ２３は、さらに、制御回路３からの情報がトランシーバ２３を経由して送信されることを可能にするように構成することができる。
【００８３】
１つ以上の太陽電池セル３３が、太陽エネルギーを電力に変換するように構成することができる任意の手段を備えることができる、いくつかの例では、太陽電池セル３３は、光起電力半導体（ｐｈｏｔｏｖｏｌｔａｉｃ  ｓｅｍｉｃｏｎｄｕｃｔｏｒ）を備える１つ以上のパネルを備えることができる。光起電力半導体は、入射ソーラーパワーから電流を生じさせるように構成することができる。
【００８４】
貯蔵手段３７が、電気エネルギーを貯蔵するように構成することができる任意の手段を備えることができる。貯蔵手段３７によって貯蔵される電気エネルギーは、太陽電池セル３３から得られるエネルギーを含むことができる。いくつかの例では、この貯蔵手段３７は、太陽電池セル３３によって充電することができる電池を備えることができる。
【００８５】
貯蔵手段３７は、電気エネルギーが太陽電池セル３３からその貯蔵手段３７に伝送されることが可能であるように、太陽電池セル３３に接続することができる。
【００８６】
図３の例示的な車両３１は、さらに、１つ以上のセンサ３５も備える。これらのセンサ３５は、物理的パラメータを検出し、物理的パラメータを表す電気信号を提供するように構成することができる任意の手段を備えることができる。
【００８７】
センサ３５は、車両３１に関係する情報が得られることを可能にすることができる、得られる情報は、車両３１の現在位置に関する情報を含むことができる。例えば、１つ以上のセンサ３５は、全地球測位システム（ＧＰＳ）センサ又は任意の他のタイプの測位センサのような測位センサを備えることができる。
【００８８】
いくつかの例では、センサ３５によって得られる情報が、太陽光発電の車両３１に関する電力要件に関する情報を含むことができる。例えば、センサ３５は、蓄積手段３７の現在の蓄積電力レベル、又は、車両３１の予想電力要件に関する情報を得ることができる。
【００８９】
センサ３５は、センサ３５によって得られた情報を制御回路３に対して提供するように構成することができる。この制御回路３は、得られた情報を記憶回路７内に記憶することができる。いくつかの例では、センサ３５によって得られた情報は、トランシーバ２３を経由して送信することができる。
【００９０】
いくつかの例では、１つ以上のセンサ３５は、車両３１の自律的制御を可能にするために使用することができる情報を得るように構成することができる。こうした例では、センサ３５は、車両３１とこの車両３１の周囲の他の物体との間の距離を検出するように構成されることも可能である。このことが、他の物体に接触することなしに車両が移動させられることを可能にすることができる。
【００９１】
図４は、サーバ２１と１つ以上の車両３１とを備えるシステム４１を示す。サーバ２１は、図２に関して上述したサーバと同様であることができる。１つ以上の車両は図３に関連して上述されているものと同様であることができる。
【００９２】
サーバ２１は、１つ以上の車両３１から遠隔位置に配置することができる。サーバ２１は、１つ以上の車両３１によってアクセスすることができる通信ネットワーク４３内に配置することができる。
【００９３】
サーバ２１と車両３１は、通信リンク４５がサーバ２１と車両３１との間に確立されることを可能にするように構成することができる。この通信リンク４５は、無線通信リンク４５を含むことができる。無線通信リンク４５は、セルラー通信ネットワーク４３又はローカルエリアネットワークのような通信ネットワーク４３の一部分であることができる。
【００９４】
通信リンク４５は、サーバ２１と１つ以上の車両３１との間で情報が交換されることを可能にすることができる任意の手段を備えることができる。このことが、車両３１がサーバ２１に対して情報を提供することを可能にすることができる。車両３１からサーバ２１に提供される情報は、１つ以上のセンサ３５を使用して得られる情報を含むことができる。車両３１からサーバ２１に提供される情報は、車両３１の現在位置を表す情報、および／又は、車両３１に関する電力要件に関する情報を含むことができる。
【００９５】
通信リンク４５は、さらに、サーバ２１が車両３１に対して情報を提供することも可能にすることができる。サーバ２１から車両３１に提供される情報は、ソーラーパワー充電ストラテジ２７に関する情報を含むことができる。
【００９６】
図４の例示的なシステムおいて、車両３１は、さらに、２つの車両３１の間で通信リンク４７が確立されることを可能にするようにも構成されている。この通信リンク４７は、２つの車両３１の間で情報が交換されることを可能にすることができる任意の手段を含むことができる。この通信リンク４７は、無線通信リンク４７を含むことができる。この通信リンク４７は、ローカルエリアネットワークのようなネットワークの一部分であることができる。通信リンク４７は、車両３１がソーラーパワー充電ストラテジ２７の実現を調整することを可能にすることができる。
【００９７】
図５から図７は、例示的な方法を概略的に示すブロック図である。図５から図７の方法は、図１から図４の例示的な装置１とサーバ２１と車両３１とシステム４１とを使用して、上述したように実現することができる。
【００９８】
図５の方法は、図２の例示的なサーバ２１のようなサーバ２１によって実現することができる。サーバ２１は、１つ以上の遠隔の車両３１と通信するように構成することができる。図５の例示的な方法は、ブロック５１おいて、太陽光発電の車両３１から情報を得ることを含む。得られる情報は、少なくとも太陽光発電の車両３１の現在位置を含むことができる。
【００９９】
この方法は、さらに、ブロック５３において、所定の領域内のソーラーパワーの分布の情報２５を得ることも含むことができる。
【０１００】
ブロック５５において、得られた情報が、ソーラーパワー充電ストラテジ２７を決定するために使用され、および、ブロック５７おいて、太陽光発電の車両３１がソーラーパワー充電ストラテジ２７にアクセスすることが可能にされる。
【０１０１】
図６の方法は、図３の太陽光発電の車両３１のような太陽光発電の車両３１によって実現することができる。この太陽光発電の車両３１は、遠隔のサーバ２１、および／又は、１つ以上の遠隔の車両３１と通信するように構成することができる。図６の例示的な方法は、ブロック６１おいて、太陽光発電の車両３１の現在位置を含む情報を提供することを含む。
【０１０２】
この方法は、さらに、ブロック６３において、ソーラーパワー充電ストラテジ２７を得ることを含む。このソーラーパワー充電ストラテジ２７は、現在位置を含む情報と、所定の領域内のソーラーパワーの分布の情報２５とを使用して、決定することができる。
【０１０３】
ブロック６５おいて、ソーラーパワー充電ストラテジ２７は、太陽光発電の車両３１の位置を制御するために使用される。
【０１０４】
図７の方法は、図４のシステムのようなシステム４１によって実現することができる。ブロック７１、７３、７５、８５、８７が１つ以上の太陽光発電の車両３１によって具体化することができる。ブロック７７−８３は、サーバ２１によって具体化することができる。これらのブロックが、本開示の異なる例において、異なる装置１によって実現することができるということを理解されたい。
【０１０５】
ブロック７１おいて、車両３１が位置情報を得る。この位置情報は、車両３１の現在位置を含むことができる。この位置情報は、測位センサのようなセンサ３５によって得ることができる。センサ３５は、ＧＰＳセンサ又は他の任意の適切なタイプのセンサを備えることができる。
【０１０６】
いくつかの例では、車両３１の運転者が車両３１の現在位置を手動で入力することが可能である。例えば、ユーザが車両３１を駐車する時に、ユーザが、自分が車両をどこに駐車し終わったかを表示することが可能である。
【０１０７】
ブロック７３おいて、車両３１は、その太陽光発電の車両３１の電力要件に関する情報を得る。この電力要件に関する情報は、車両３１の蓄積手段３７内の現在の蓄積電力レベルを示す情報を含むことができる。このような例では、１つ以上のセンサ３５が、蓄積手段３７内の現在の蓄積電力レベルを測定するように構成することができる。
【０１０８】
いくつかの例では、電力要件に関する情報は、車両３１の予想電力使用量に関する情報を含むことができる。予想電力使用量に関する情報は、予想される行程に関する情報を含むことができる。予想される行程に関する情報は、その行程の距離、その行程に要する予想時間、その行程に関する予想される交通量レベル（ｔｒａｆｆｉｃ  ｌｅｖｅｌ）、その行程の予想される開始時刻、および、任意の他の適切なタイプの情報を含むことが可能である。
【０１０９】
この予想される行程は、任意の適切な手段を使用して決定することができる。いくつかの例では、この予想される行程は、監視されている運転者の挙動に基づいて決定することができる。例えば、ユーザが車両３１をそのユーザの仕事場へと運転し終わった場合には、その次の行程がその日の終わりに家に戻るために車両３１を運転することを予想することができる。いくつかの例では、運転者は、自分の次の行程を示す情報を入力することが可能であることができる。例えば、運転者は、その運転者が仕事の後に直接的に自宅まで運転するということを示すことができるし、又は、帰宅の途上で体育館又は何らかの店舗のような別の場所を訪れることを望むこともあるということを示すことができる。
【０１１０】
いくつかの例では、この予想される行程は、運転者に関する蓄積された情報にアクセスすることに基づいて決定することができる。例えば、運転者は、アクセス可能な場所に格納されているカレンダー又は日記を有することができる。次回の予想される行程を、この日記又はカレンダーにリストされている予約に基づいて決定することができる。いくつかの例では、運転者に関する情報がサーバ２１内に記憶することができる。
【０１１１】
いくつかの例では、予想電力使用量に関する情報が、車両の暖房要件（ｈｅａｔｉｎｇ  ｒｅｑｕｉｒｅｍｅｎｔ）に関する情報を含むことができる。こうした例では、１つ以上のセンサ３５が、車両の現在位置における温度を測定することができる。その次に、この温度は、どれだけ多くの電力が車両３１の暖房および／又は空調システムによって必要とされる可能性があるかを判定するために使用することができる。他の例では、この温度情報は、天気予報のような情報から得ることができる。
【０１１２】
いくつかの例では、電力要件に関する情報は、車両３１の最寄りの場所における充電施設の利用可能性に関する情報を含むことができる。例えば、最寄りの場所においては駐車施設が屋内又は地下にしかない場合には、太陽光発電の車両３１のための充電施設が存在しないと判定することが可能である。
【０１１３】
ブロック７１、７３で得られた情報は、太陽光発電の車両３１の記憶回路７内に記憶することができる。ブロック７５において、得られた情報はサーバ２１に提供される。この得られた情報は記憶回路７から検索され、および、トランシーバ２３を経由して遠隔サーバ２１に送信することができる。
【０１１４】
ブロック７７において、サーバ２１は、太陽光発電の車両３１から情報を得る。得られる情報は、車両３１の現在位置に関する情報を含むことができる。いくつかの例では、得られる情報は、太陽光発電の車両３１に関する電力要件の情報を含むことができる。
【０１１５】
ブロック７９においては、サーバ２１は、所定の領域内のソーラーパワーの分布の情報２５を得る。ソーラーパワーの分布に関するこの情報２５は、特定の閾値より高いレベルの入射ソーラーパワーを有する位置の表示を提供することができる。このことが、太陽光発電の車両３１を充電するために使用されることが可能な位置が決定されることを可能にすることができる。
【０１１６】
この所定の領域は、車両３１の現在位置を含むことができる。他の例では、この所定の領域は、太陽光発電の車両３１の現在位置を含まなくてもよい。こうした例では、この所定の領域は、太陽光発電の車両３１の現在位置の付近であってもよく、および／又は、太陽光発電の車両３１の現在位置からの予め設定された距離の範囲内に位置することができる。
【０１１７】
この所定の領域は任意の適切な区域を含むことができる。いくつかの例では、この所定の領域は、町又は市、又は、町又は市の一部分を含むことができる。いくつかの例では、この所定の領域は、街路（ｓｔｒｅｅｔ）又は駐車場のような小さな地域を含むことができる。
【０１１８】
ソーラーパワー分布の情報２５は、時刻、天候状態、建物の高さ、日陰の位置、周囲光レベルに関する情報、又は、任意の他の適切な情報を含むことができる。
【０１１９】
いくつかの例では、ソーラーパワー分布の情報２５は、サーバ２１の記憶回路７内に記憶されている情報を含むことができる。例えば、記憶回路７は、町と市のような１つ以上の場所の３次元モデルを表す情報を記憶するように構成することができる。こうした３次元モデルは、駐車した車両３１の上に影を落とすことがある建物と樹木と任意の他の物体のサイズと形状のような情報を含むことができる。その次に、この情報は、特定の時節および／又は日の日陰の位置を計算するために使用することができる。
【０１２０】
いくつかの例では、ソーラーパワー分布の情報２５は、１つ以上の他のサーバ２１から得られる情報を含むことができる。例えば、情報２５は、天気予報、又は、日の出又は日の入りの予想時刻のような情報、又は、任意の他の適切な情報のような情報を含むことができる。
【０１２１】
いくつかの例では、ソーラーパワー分布の情報２５は、１つ以上の太陽光発電の車両３１から得られる情報を含むことができる。例えば、太陽光発電の車両３１上の１つ以上のセンサ３５が、周囲光検出器を備えることができる。この周囲光検出器は、太陽光発電の車両３１の周りの周囲光レベルを検出し、検出された周囲光レベルを表す信号を提供するように構成することができる任意の手段を含むことができる。この周囲光検出器は、入射光を電気信号に変換するように構成することができる、１つ以上の光センサ又は任意の他の適切な手段を備えることができる。周囲光検出器は、車両３１の位置における周囲光レベルと雲量とに関する現在の情報が測定されることを可能にすることができる。この情報はサーバ２１に提供することができる。
【０１２２】
ブロック８１において、サーバ２１はソーラーパワー充電ストラテジ２７を決定する。このソーラーパワー充電ストラテジ２７は、１つ以上の太陽光発電の車両３１に関する位置スケジュール（ｓｃｈｅｄｕｌｅ  ｏｆ  ｐｏｓｉｔｉｏｎｓ）と、予定された場所に適正な時点において車両３１が自律的に移動させられることを可能にするための命令とを含むことができる。ソーラーパワー充電ストラテジ２７は、複数の車両３１が、その車両３１すべてが適切に充電されることを確実なものにするようにその複数の車両３１の位置を調整することを可能にすることができる。
【０１２３】
ソーラーパワー充電ストラテジ２７は、太陽光発電の車両３１がいつ充電場所に移動しなければならないかに関するスケジュールを含むことができる。この充電場所は、車両３１の充電を可能にするのに十分なだけの入射ソーラーパワーがある任意の場所を含むことができる。車両３１は、この充電場所に自律的に移動されることができる。車両３１が既に移動を完了している場所の表示を提供するために、通知を車両３１のユーザに対して提供することができる。
【０１２４】
いくつかの例では、車両３１は短距離だけ移動されることができる。例えば、車両３１は、日陰から出て直射日光の中に移動するために数メートルだけ移動されることができる。他の例では、車両は、例えば、車両３１が数百メートル以上のようなより長い距離にわたって移動させられてもよく、例えば、建物で著しく囲まれている環境内に車両３１が駐車させられている場合には、日陰の中にない場所を見つけるためにより長い距離を移動することが必要なことがある。ソーラーパワー充電ストラテジ２７を決定する時には、充電場所への移動と充電場所からの移動とのために必要とされるエネルギー要件を計算に入れることができる。
【０１２５】
ソーラーパワー充電ストラテジ２７は、太陽光発電の車両３１がいつ充電場所を離れなければならないかに関するスケジュールを含むことができる。例えば、車両３１は、ユーザがその車両の次回の予想行程を開始するために、直ちにその車両が充電場所を離れてその当初の場所に戻るように命令することができる。他の例では、車両３１は、１つ以上の他の太陽光発電の車両３１が充電場所に到達することを可能にするために、充電場所を離れるように命令することができる。
【０１２６】
いくつかの例では、太陽光発電の車両３１は、十分なソーラーパワーを最早得ていない場合に、場所を離れるようにスケジュール設定することができる。ソーラーパワー分布が、時間の経過に応じて変化する日陰の位置と現在の天候とのようなパラメータに依存するということを理解されたい。したがって、太陽光発電の車両３１は、第１の位置が十分なソーラーパワーを受け取ることを止めた直後に、その第１の位置から第２の位置に移動するようにスケジュール設定することができる。
【０１２７】
いくつかの例では、サーバ２１は、それらの現在位置において得られる充電速度又はソーラーパワーに関する情報を得るように構成することができる。これは、蓄積電力レベルに関する情報を時間の関数として得ることによって実現されることが可能である。この情報は、充電ストラテジ２７を決定および／又は更新するために使用されることが可能である。
【０１２８】
ブロック８３において、サーバ２１は、太陽光発電の車両３１が充電ストラテジ２７にアクセスすることを可能にする。サーバ２１は、通信リンク４５を経由して１つ以上の車両３１にソーラーパワー充電ストラテジ２７を送信することができる。いくつかの例では、サーバ２１は、ソーラーパワー充電ストラテジ２７を第１の車両３１に送信することができる。この場合に、この第１の車両３１は、付近の他の車両３１に対してソーラーパワー充電ストラテジ２７を送るように構成することができる。例えば、第１の車両３１は、低出力通信リンク４７を経由して、付近の他の車両３１にソーラーパワー充電ストラテジ２７を送るように構成することができる。このことは、ソーラーパワー充電ストラテジ２７にアクセスするための電力要件を低減させる。
【０１２９】
ブロック８５において、１つ以上の太陽光発電の車両３１が充電ストラテジ２７に対してアクセスする。このソーラーパワー充電ストラテジ２７はトランシーバ２３によって受け取られてもよく、および、太陽光発電の車両３１の記憶回路７内に記憶することができる。
【０１３０】
ブロック８７において、ソーラーパワー充電ストラテジ２７が実現され、および、車両３１の位置が、ソーラーパワー充電ストラテジ２７内の命令にしたがって制御される。
【０１３１】
図５から図７に示されているブロックは、コンピュータ・プログラム９内の方法および／又はコードのセクション（ｓｅｃｔｉｏｎ  ｏｆ  ｃｏｄｅ）における各ステップを示している。ブロックの特定の順序の図表は、これらのブロックに関して必要とされる順序又は好ましい順序が存在するということを必ずしも示唆しているわけではなく、および、これらのブロックの順序および構成は変更することができる。さらに、いくつかのブロックが省かれることが可能であることができる。
【０１３２】
例えば、図７の方法では、太陽光発電の車両３１は、車両３１の予想電力要件に関する情報を得て、その次に、この情報をサーバ２１に送る。他の例では、この情報はサーバ２１によって直接的に得られることが可能であるということを理解されたい。例えば、サーバ２１は、ユーザのカレンダーおよび日誌情報にアクセスするように、又は、交通量の最新情報（ｔｒａｆｆｉｃ  ｕｐｄａｔｅ）のような情報にアクセスするように、構成することができる。他の例では、その情報の一部分が車両３１によって得られてもよく、および、その情報の一部分をサーバ２１によって直接的に得ることができる。
【０１３３】
これらの方法のいくつかのブロックが必要に応じて繰り返することができるということを理解されたい。例えば、車両３１の位置における状況が変化する場合には、さらに別の情報をサーバ２１に対して提供することができる。例えば、天候が予測不可能な形で変化して雲量が増減することがあり、充電が必要とされることがある別の車両３１が車両３１の付近に配置されることがあり、又は、他の車両３１が充電場所から移動させられることがある。こうした例では、サーバ２１は、さらに別の情報を組み入れるように充電ストラテジを変更するために、さらに別の情報を使用することができる。
【０１３４】
いくつかの例では、車両３１のユーザは、充電ストラテジ２７に対して制約条件を加えることが可能であることができる。例えば、ユーザは、そのユーザがいつおよび／又はどこで車両３１を取りに行きたいかを決定することが可能であることができる。いくつかの例では、ユーザは、車両３１が充電中に移動することが許可される場所および／又は範囲を決定することが可能であることができる。
【０１３５】
上述した開示内容は、複数の太陽光発電の車両３１が効率的に充電されることを可能にする、装置と方法とコンピュータ・プログラムとを提供する。
【０１３６】
これらの例は、複数の車両３１に関する命令を組み入れることができるソーラーパワー充電ストラテジ２７が決定されることを可能にする。このことが、各々の車両３１が適切な充電を得ることと、さらに別の電力を得ることを必要としない車両によって充電場所が無駄に占拠されることがないこととを確実にする。
【０１３７】
これらの例は、さらに、充電ストラテジが正確であり、最新の情報を有することを確実なものにするために、複数の異なるタイプの情報がアクセスされることも可能にする。これらの情報は、車両３１上のセンサ３５から得られた情報と、１つ以上のサーバ２１からアクセスされる情報とを含むことができる。このことは、このストラテジに組み入れられているすべての車両３１が十分なレベルの電流を受け取ることを確実なものにする。
【０１３８】
これらの例は、さらに、時間の経過に応じて変化することがある情報を計算に入れるように構成されている。車両に関する充電場所が、１日の異なる時点において異なるということと、上述した例がこのことが計算に入れられることを可能にするということを理解されたい。
【０１３９】
術語「備える／含む（ｃｏｍｐｒｉｓｅ）」は、本文書において、排他的な意味でなく、包含的な意味で使用されている。即ち、「Yを備える／含むＸ」に対する言及は、Ｘが１つだけのＹを備えるか又は含んでもよく、又は、２つ以上のＹを備えるか又は含むことができるということを表す。「備える／含む」を排他的な意味で使用することが意図されている場合には、「１つだけの〜を備える／含む（ｃｏｍｐｒｉｓｉｎｇ  ｏｎｌｙ  ｏｎｅ〜）」と記述することによって、又は、「〜から成る（ｃｏｎｓｉｓｔｉｎｇ）」を使用することによって、それが明確化される。
【０１４０】
ここでの概略的な説明では、様々な例について言及してきた。１つの例に関する特徴又は機能の説明が、これらの特徴又は機能がその例に存在しているということを表す。本文書における術語「例（ｅｘａｍｐｌｅ）」又は「例えば（ｆｏｒ  ｅｘａｍｐｌｅ）」又は「〜することができる（ｍａｙ）」は、明示的に述べられているか否かに係わらず、こうした特徴又は機能が、例として説明されているか否かに係わらず、少なくとも説明されている例において存在しているということ、および、こうした特徴又は機能が、いくつかの例又はすべての例において、必ずしも存在しているとは限らないが、存在していることが可能であるということを意味する。したがって、「例」又は「例えば」又は「〜することができる（ｍａｙ）」は、１つの種類の例の中の特定の事例を示す。この事例の属性は、その事例だけの属性であるか、又は、その種類の属性であるか、又は、その種類内の全部の事例ではないいくつかの事例を含むその種類のサブクラスの属性であることが可能である。
【０１４１】
本発明の実施形態を様々な例を参照しながら前述のパラグラフで説明してきたが、特許請求されている本発明の範囲から逸脱することなしに、示されている例に対する変更が加えられることが可能であるということを理解されたい。例えば、上記の例では、車両３１のすべてが太陽光発電の車両３１である。システム４１が、さらに、非太陽光発電の車両の位置の制御のために使用することができるということを理解されたい。例えば、非太陽光発電の車両が、高いレベルの入射ソーラーパワーを有する日当たりのよい場所に駐車させられているということが検出される場合には、その日当たりのよい場所が太陽光発電の車両に対して利用可能であるということを確実なものにするために、その非太陽光発電の車両が、異なる場所に移動させられることも可能である。
【０１４２】
上記説明で述べられている特徴は、明示的に述べられている組合せ以外の組合せの形で使用することができる。
【０１４３】
特定の特徴に関連して機能について説明してきたが、こうした機能は、さらに、説明してあるか又は説明していないかに係わらず、他の特徴によって実行可能であることができる。
【０１４４】
特定の実施形態に関して特徴を説明してきたが、こうした特徴は、説明してあるか否かに係わらず、他の実施形態において存在することができる。
【０１４５】
上述した明細書では、特に重要であると考えられる本発明の特徴に対して注意をひくことに努めてきたが、特に強調が行われているか否かに係わらずに、上述しておりおよび／又は図面に示されているあらゆる特許請求可能な特徴又は特徴の組合せに関して、本出願人が保護を主張するということを理解されたい。
【符号の説明】
【０１４６】
１    装置
３    制御回路
５    処理回路
７    記憶回路
９    コンピュータ・プログラム
１１    コンピュータ・プログラム・コード
２１    サーバ
２３    トランシーバ
２７    ソーラーパワー充電ストラテジ
３１    太陽光発電の車両
３５    センサ
３７    貯蔵手段
【図１】
2017511676.tif 000003
【図２】
2017511676.tif 000004
【図３】
2017511676.tif 000005
【図４】
2017511676.tif 000006
【図５】
2017511676.tif 000007
【図６】
2017511676.tif 000008
【図７】
2017511676.tif 000009
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
処理回路と、コンピュータ・プログラム・コードを含むメモリ回路と、を備える装置であって、
前記メモリ回路と前記コンピュータ・プログラム・コードとは、前記処理回路を用いて、前記装置に、少なくとも、
少なくとも太陽光発電の車両の現在位置を含む情報を前記太陽光発電の車両から得るステップと、
所定の領域内のソーラーパワーの分布の情報を得るステップと、
ソーラーパワー充電ストラテジを決定するために、得られた前記情報を用いるステップと、
前記太陽光発電の車両が前記ソーラーパワー充電ストラテジにアクセスすることを可能にするステップと、
を実行させるように構成された、
装置。
【請求項２】
前記太陽光発電の車両から得られた前記情報は、前記太陽光発電の車両に対する電力要件に関連する情報を含む、請求項１に記載の装置。
【請求項３】
電力要件に関連する前記情報は、現在の蓄積電力レベルを示す情報を含む、請求項２に記載の装置。
【請求項４】
電力要件に関連する前記情報は、予想電力使用量に関する情報を含む、請求項２または３に記載の装置。
【請求項５】
複数の太陽光発電の車両から情報が得られる、請求項１ないし４のいずれか１項に記載の装置。
【請求項６】
前記ソーラーパワーの分布に関する前記情報は、時刻、天候状態、建物の高さ、日陰の位置、周囲光レベルのうちの少なくとも１つを含む、請求項１ないし５のいずれか１項に記載の装置。
【請求項７】
前記所定の領域は、前記太陽光発電の車両の前記現在位置を含む、請求項１ないし６のいずれか１項に記載の装置。
【請求項８】
前記所定の領域は、前記太陽光発電の車両の前記現在位置を含まない、請求項１ないし６のいずれか１項に記載の装置。
【請求項９】
前記ソーラーパワー充電ストラテジは、太陽光発電の車両を自律的に移動させることを含む、請求項１ないし８のいずれか１項に記載の装置。
【請求項１０】
前記ソーラーパワー充電ストラテジは、太陽光発電の車両がいつ充電場所に移動しなければならないかに関するスケジュールを含む、請求項９に記載の装置。
【請求項１１】
前記ソーラーパワー充電ストラテジは、太陽光発電の車両がいつ充電場所から離れなければならないかに関するスケジュールを含む、請求項９または１０に記載の装置。
【請求項１２】
前記ソーラーパワー充電ストラテジは複数の車両に関して決定される、請求項１ないし１１のいずれか１項に記載の装置。
【請求項１３】
前記装置は、複数の車両が前記ソーラーパワー充電ストラテジにアクセスすることを可能にする、請求項１ないし１２のいずれか１項に記載の装置。
【請求項１４】
前記メモリ回路と前記コンピュータ・プログラム・コードは、前記処理回路を用いて、
前記装置に、
さらなる情報を得るステップと、
前記さらなる情報を組み込むために、前記ソーラーパワー充電ストラテジを変更するステップと、
を実行させるように構成された、請求項１ないし１３のいずれか１項に記載の装置。
【請求項１５】
請求項１ないし１４のいずれか１項に記載の装置を備えるサーバであって、
該サーバは、太陽光発電の車両と通信するように構成されている、サーバ。
【請求項１６】
太陽光発電の車両から、少なくとも前記太陽光発電の車両の現在位置を含む情報を得るステップと、
所定の領域内のソーラーパワーの分布の情報を得るステップと、
ソーラーパワー充電ストラテジを決定するために、得られた前記情報を用いるステップと、
前記太陽光発電の車両が前記ソーラーパワー充電ストラテジにアクセスすることを可能にするステップと、
を含む方法。
【請求項１７】
前記太陽光発電の車両から得られた前記情報は、前記太陽光発電の車両に対する電力要件に関連する情報を含む、請求項１６に記載の方法。
【請求項１８】
前記電力要件に関連する情報は、現在の蓄積電力レベルを表す情報を含む、請求項１７に記載の方法。
【請求項１９】
前記電力要件に関連する情報は、予想電力使用量に関する情報を含む、請求項１７または１８に記載の方法。
【請求項２０】
複数の太陽光発電の車両から情報を得るステップをさらに含む請求項１６ないし１９のいずれか１項に記載の方法。
【請求項２１】
ソーラーパワーの分布に関する前記情報は、時刻、天候状態、建物の高さ、日陰の位置、周囲光レベルのうちの少なくとも１つを含む、請求項１６ないし２０のいずれか１項に記載の方法。
【請求項２２】
前記所定の領域は、前記太陽光発電の車両の前記現在位置を含む、請求項１６ないし２１のいずれか１項に記載の方法。
【請求項２３】
前記所定の領域は、前記太陽光発電の車両の前記現在位置を含まない、請求項１６ないし２１のいずれか１項に記載の方法。
【請求項２４】
前記ソーラーパワー充電ストラテジは、太陽光発電の車両を自律的に移動させることを含む、請求項１６ないし２３のいずれか１項に記載の方法。
【請求項２５】
前記ソーラーパワー充電ストラテジは、太陽光発電の車両がいつ充電場所に移動しなければならないかに関するスケジュールを含む、請求項２４に記載の方法。
【請求項２６】
前記ソーラーパワー充電ストラテジは、太陽光発電の車両がいつ充電場所を離れなければならないかに関するスケジュールを含む、請求項２４または２５に記載の方法。
【請求項２７】
前記ソーラーパワー充電ストラテジは、複数の車両に関して決定される、請求項１６ないし２６のいずれか１項に記載の方法。
【請求項２８】
複数の車両が前記ソーラーパワー充電ストラテジにアクセスすることを可能にするステップを含む請求項１６ないし２７のいずれか１項に記載の方法。
【請求項２９】
さらなる情報を得るステップと、
前記さらなる情報を組み入れるために前記ソーラーパワー充電ストラテジを変更するステップと、をさらに含む請求項１６ないし２８のいずれか１項に記載の方法。
【請求項３０】
コンピュータ・プログラム命令を含むコンピュータ・プログラムであって、該コンピュータ・プログラム命令は、処理回路によって実行されるときに、
太陽光発電の車両から、少なくとも、前記太陽光発電の車両の現在位置を含む情報を得ることと、
所定の領域内のソーラーパワーの分布の情報を得ることと、
ソーラーパワー充電ストラテジを決定するために、得られた前記情報を用いることと、
前記太陽光発電の車両が前記ソーラーパワー充電ストラテジにアクセスすることを可能にすること、
を可能にする、コンピュータ・プログラム。
【請求項３１】
請求項１６ないし２９のいずれか１項に記載の方法をコンピュータに実行させるためのプログラム命令を含むコンピュータ・プログラム。
【請求項３２】
処理回路と、コンピュータ・プログラム・コードを含むメモリ回路とを備える装置であって、
前記メモリ回路と前記コンピュータ・プログラム・コードとは、前記処理回路を用いて、前記装置に、少なくとも、
太陽光発電の車両の現在位置を含む情報を提供するステップと、
現在位置を含む前記情報と所定の領域内のソーラーパワーの分布の情報とを用いて決定されるソーラーパワー充電ストラテジを得るステップと、
前記太陽光発電の車両の位置を制御するために前記ソーラーパワー充電ストラテジを用いるステップと、を実行させるように構成される、
装置。
【請求項３３】
提供された前記情報は、前記太陽光発電の車両に対する電力要件に関連する情報を含む、請求項３２に記載の装置。
【請求項３４】
前記電力要件に関連する情報は、現在の蓄積電力レベルを示す情報を含む、請求項３３に記載の装置。
【請求項３５】
前記電力要件に関連する情報は、予想電力使用量に関する情報を含む、請求項３３または３４に記載の装置。
【請求項３６】
前記情報は、遠隔サーバに提供される、請求項３２ないし３５のいずれか１項に記載の装置。
【請求項３７】
前記ソーラーパワー充電ストラテジは、遠隔サーバから得られる、請求項３２ないし３６のいずれか１項に記載の装置。
【請求項３８】
請求項３２ないし３７のいずれか１項に記載の装置を備える太陽光発電の車両。
【請求項３９】
太陽光発電の車両の現在位置を含む情報を提供するステップと、
現在位置を含む前記情報と、所定の領域内のソーラーパワーの分布の情報とを用いて決定されるソーラーパワー充電ストラテジを得るステップと、
太陽光発電の車両の位置を制御するために前記ソーラーパワー充電ストラテジを用いるステップと、を含む方法。
【請求項４０】
提供された前記情報は、前記太陽光発電の車両に対する電力要件に関連する情報を含む、請求項３９に記載の方法。
【請求項４１】
電力要件に関する前記情報は、現在の蓄積電力レベルを示す情報を含む、請求項４０に記載の方法。
【請求項４２】
電力要件に関する前記情報は、予想電力使用量に関する情報を含む、請求項４０または４１のいずれか１項に記載の方法。
【請求項４３】
前記情報は遠隔サーバに提供される、請求項３９ないし４２のいずれか１項に記載の方法。
【請求項４４】
前記ソーラーパワー充電ストラテジは遠隔サーバから得られる、請求項３９ないし４３のいずれか１項に記載の方法。
【請求項４５】
コンピュータ・プログラム命令を含むコンピュータ・プログラムであって、前記コンピュータ・プログラム命令は、処理回路によって実行されるときに、太陽光発電の車両の現在位置を含む情報を提供することと、
現在位置を含む前記情報と所定の領域内のソーラーパワーの分布の情報とを用いて決定されるソーラーパワー充電ストラテジを得ることと、
前記太陽光発電の車両の位置を制御するために前記ソーラーパワー充電ストラテジを用いることと、
を可能にする、
コンピュータ・プログラム。
【請求項４６】
請求項３９ないし４４のいずれか１項に記載の方法をコンピュータに実行させるためのプログラム命令を含むコンピュータ・プログラム。
【国際調査報告】
2017511676.tif 000010
2017511676.tif 000011
2017511676.tif 000012
2017511676.tif 000013